(57)【特許請求の範囲】
【請求項１】
矩形状のコンクリートブロックと、
このコンクリートブロックの両側部上端から上方にそれぞれ延出して設けられ、当該コンクリートブロックの上面に積み重ねられるコンクリートブロックの少なくとも背面両側部を支持する一対の支持金具と、を備え、
且つ、前記各支持金具は、断面Ｌ字状に形成されており、前記上面に積み重ねられるコンクリートブロックの背面が接する支持面と、同コンクリートブロックの側面が接する案内面とを有することを特徴とする外壁ユニット。
【請求項２】
請求項１記載の外壁ユニットにおいて、
前記コンクリートブロックは、背面が平坦面に形成してあることを特徴とする外壁ユニット。
【請求項３】
請求項１または２記載の外壁ユニットにおいて、
前記コンクリートブロックには、前記支持金具の延出部を締結する締結部が設けてあることを特徴とする外壁ユニット。
【請求項４】
請求項１乃至３のいずれか一項に記載の外壁ユニットにおいて、
前記支持金具に連結部を形成するとともに、
延長方向に隣接する各コンクリートブロックの支持金具に形成した連結部間に装着される連結金具を備えたことを特徴とする外壁ユニット。
【請求項５】
請求項１乃至４のいずれか一項に記載の外壁ユニットにおいて、
前記コンクリートブロックの上面および下面に、相互に噛み合う段差部を延長方向に延在して形成することを特徴とする外壁ユニット。
【請求項６】
内部コンクリートと、この内部コンクリートの外側に設けられた外壁とを含むコンクリート構造物であって、
前記外壁を請求項１乃至５のいずれか一項に記載の外壁ユニットで構成することを特徴とするコンクリート構造物。
【請求項７】
請求項６記載のコンクリート構造物において、
前記内部コンクリートは、クラッシャランを骨材として用いたコンクリートにより構築されることを特徴とするコンクリート構造物。
【請求項８】
請求項１乃至５のいずれか一項に記載の外壁ユニットを配設して外壁を構築する外壁施工工程と、
前記外壁の内側にコンクリートを投入する投入工程と、
前記投入したコンクリートを敷き均しするとともに該コンクリートに振動を加えてこのコンクリートを転圧する敷き均し転圧工程と、を含むことを特徴とするコンクリート構造物の施工方法。
【請求項９】
請求項８記載のコンクリート構造物の施工方法において、
前記投入工程は、クラッシャランを骨材として用いたコンクリートを前記外壁の内側に投入する工程であることを特徴とするコンクリート構造物の施工方法。
【請求項１０】
請求項８または９記載のコンクリート構造物の施工方法において、
前記外壁施工工程では、延長方向に隣接する各外壁ユニットの高さ位置をずらして配設するとともに、逐次、外壁ユニットを積み重ねていくことを特徴とするコンクリート構造物の施工方法。
【発明の詳細な説明】
【０００１】
【発明の属する技術分野】
この発明は、コンクリートにより構築される構造物の外壁を構成するための外壁ユニット、該外壁ユニットを用いたコンクリート構造物および同コンクリート構造物の施工方法に関する。
【０００２】
【従来の技術】
内部コンクリートの外側を外部コンクリート層で補強した構造の砂防ダムは、従来から知られている。図２０は、この種の砂防ダムを構築する従来の施工方法を示す図である。
同図に示す従来の砂防ダム３００の施工方法は、まずＨ型鋼を一定の高さまで積み上げて型枠３０１を設置し、この型枠３０１内にコンクリートを投入して内部コンクリート層３０２を形成する。
【０００３】
次いで、この内部コンクリート層３０２の外側に鉄筋３０３を一定の高さで設置するとともに、その更に外側に型枠３０４を配設して、この型枠３０４と内部コンクリート層３０２との間に、高い強度を有するコンクリートを流し込んで外部コンクリート層３０５を形成していた。
【０００４】
その後、施工済みの内部コンクリートおよび外部コンクリートが固まるのを待って、更にその上段に上記手順で型枠３０１の設置、内部コンクリート層３０２の形成、鉄筋３０３の設置、型枠３０４の設置、および外部コンクリート層３０５の形成を繰り返し、砂防ダム３００を構築していた。
【０００５】
【発明が解決しようとする課題】
上述したように、従来の砂防ダム３００においては、外部コンクリート層３０５を施工するために多くの工程が必要で作業が煩雑であるばかりか、外部コンクリート層３０５が固まるまで、更にその上段を施工することができなかった。
【０００６】
この外部コンクリート層３０５は、通常、型枠３０４内にコンクリートを投入してから固まるまでに長時間（２４時間程度）を要し、しかも、砂防ダムは、所望の高さになるまで多段階に分けて順次積み上げ形成していくので、施工期間が長期化する大きな要因となっていた。
【０００７】
一方、あらかじめ所定の形状に成形したコンクリートブロックを積み重ねて外壁を形成するとともに、この外壁の内側にコンクリートを投入して砂防ダムを構築する施工方法も考えられている。
【０００８】
しかしながら、コンクリートブロックを積み重ねるときには、同ブロックの崩壊を防止するために、サポート部品を用いて個々のコンクリートブロックを支持する必要があった。このようなサポートの施設作業は思いのほか煩雑であるため、施工性の向上を図る上で、改善の余地があった。
【０００９】
本発明はこのような事情に鑑みてなされたもので、コンクリート構造物の施工性の向上を図ることを目的とする。
【００１０】
【課題を解決するための手段】
上記目的を達成するために、外壁ユニットに関する請求項１の発明は、矩形状のコンクリートブロックと、このコンクリートブロックの両側部上端から上方にそれぞれ延出して設けられ、当該コンクリートブロックの上面に積み重ねられるコンクリートブロックの少なくとも背面両側部を支持する一対の支持金具と、を備えたことを特徴とする。
【００１１】
この発明によれば、コンクリートブロックに備えた支持金具により、その上段に積み重ねられるコンクリートブロックを支持することとしたので、少なくとも上段に積み重ねられるコンクリートブロックを別体のサポート部品で支持する必要がなくなり、施工性の向上を図ることができる。
【００１２】
これら各支持金具は、断面Ｌ字状に形成されており、上面に積み重ねられるコンクリートブロックの背面が接する支持面と、同コンクリートブロックの側面が接する案内面とを有する構成とすれば、支持金具の支持面によって上段に積み重ねられるコンクリートブロックを支持しながら、しかも案内面に沿ってその上段側のコンクリートブロックを適正な積み重ね位置に案内することができるので、その施工性を一層向上させることができる（請求項２）。
【００１３】
また、コンクリートブロックの背面を平坦面に形成すれば、このような外壁ユニットを用いて構築した外壁の内部作業に際して、邪魔になる突起物がなくなり作業性が向上する（請求項３）。たとえば、外壁内部に投入したコンクリートを、ローラ車両等の建設機械を用いて転圧するような場合には、外壁の背面近くまで建設機械を走らせることができるので、均一でむらのない転圧作業を実現することができる。
【００１４】
請求項４の発明では、コンクリートブロックには、支持金具の延出部を締結する締結部が設けてあり、下段側のコンクリートブロックから延出する支持金具は、上段側のコンクリートブロックに設けたこの締結部に締結する。これにより、順次積み重ねられるコンクリートブロックが相互に連結されて、強固な施設状態を形成することができる。
【００１５】
さらに、支持金具に連結部を形成するとともに、延長方向に隣接する各コンクリートブロックの支持金具に形成した連結部間に装着される連結金具を備えた構成とすれば、延長方向にもコンクリートブロックが相互に連結されて、一層強固な施設状態を形成することができる（請求項５）。なお、本発明においては、コンクリートブロックを横に並べて配設していく方向を、「延長方向」と定義してしている。
【００１６】
請求項６の発明は、コンクリートブロックの上面および下面に相互に噛み合う段差部を延長方向に延在して形成することを特徴とする。
この構成によれば、コンクリートブロックを積み重ねる際に、組み積みされるコンクリートブロックの段差部を噛み合わせることで、容易にコンクリートブロック相互間の位置合わせを行うことができる。
【００１７】
また、コンクリート構造物に関する請求項７の発明は、内部コンクリートと、この内部コンクリートの外側に設けられた外壁とを含むコンクリート構造物であって、外壁を上記本発明の外壁ユニットで構成することを特徴とする。
この発明によれば、上記外壁ユニットでコンクリート構造物の外壁を構成することで、このような構造物の施工性を向上させることができる。
【００１８】
請求項８の発明は、コンクリート構造物において、クラッシャランを骨材として用いたコンクリートにより、上記内部コンクリートを構築することを特徴とする。
クラッシャランは、道路舗装の下層路盤に使用される粒状路盤材であり、ＪＩＳ（日本工業規格）  Ａ  ５００１において品質規格されている道路用砕石である。このように、クラッシャランは、品質規格に適合するように粒度調節されているため、安価で汎用性があり、一定の品質のものを各地で容易に入手することができる。したがって、クラッシャランを骨材として用いたコンクリートにより構造物の内部を形成することで、標準的な品質管理基準や施工要領等を作成することができるので、その施工性を一層向上させることができる。
【００１９】
さらに、コンクリート構造物の施工方法に関する請求項９の発明は、上記外壁ユニットを配設して外壁を構築する外壁施工工程と、外壁の内側にコンクリートを投入する投入工程と、投入したコンクリートを敷き均しするとともに該コンクリートに振動を加えてこのコンクリートを転圧する敷き均し転圧工程と、を含むことを特徴とする。
【００２０】
この発明によれば、上記外壁ユニットを配設して外壁を構築するので、外壁の施工作業が容易となり、施工期間の短縮を図ることができる。
また、外壁内にコンクリートを投入する投入工程と、投入したコンクリートを敷き均しするとともに該コンクリートに振動を加えてこのコンクリートを転圧する敷き均し転圧工程とを含むこととしたので、外壁内に投入されるコンクリートの硬化を長時間待つ必要がなくなり、施工期間を一層短縮することができる。
なお、投入工程は、クラッシャランを骨材として用いたコンクリートを外壁の内側に投入する工程とすることができる（請求項１０）。
【００２１】
請求項１１の発明は、外壁施工工程において、延長方向に隣接する各外壁ユニットの高さ位置をずらして配設するとともに、逐次、外壁ユニットを積み重ねていくことを特徴とする。
この発明によれば、組み積みされるコンクリートブロック間の接合部分を延長方向に不連続とすることができるので、土石流等の衝突に伴い外壁が受ける横方向の荷重に対する剪断抵抗が大きくなり、コンクリート構造物の強度を向上させることができる。
【００２２】
【発明の実施の形態】
以下、この発明の実施の形態について詳細に説明する。
〈外壁ユニットに関する実施形態（以下、実施形態１とする）〉
この発明の実施形態１に係る外壁ユニット１は、図１乃至図４に示すように、コンクリートブロック１０、一対の支持金具３０，３０、および連結金具４０を有している。
【００２３】
これらの図に示すように、コンクリートブロック１０は、矩形状に形成してあり、例えば、呼び強度２１Ｎ／ｍｍ２程度の比較的強度の高いコンクリートから構成されている。
このコンクリートブロック１０の上面および下面には、段差部１１，１２が延長方向に延在して設けてあり、これら段差部１１，１２はコンクリートブロック１０を積み重ねたとき相互に噛み合わせ可能に形成されている。
【００２４】
コンクリートブロック１０の両側面には、凹溝１３，１４が高さ方向に延在して設けてあり、これら凹溝１３，１４には、シール材１５，１６が装着されている。これらシール材１５，１６は、例えば、エチレン・プロピレンゴム等のゴム材料で形成される。
【００２５】
また、コンクリートブロック１０の両側面には、凹部１７，１８が高さ方向に延在して設けてあり、この凹部１７，１８に支持金具３０を配置することで支持金具３０の厚みを吸収する構造としてある。
【００２６】
このコンクリートブロック１０の背面１０ａは平坦面に形成してあり、その両側部の上端近くには第１締結孔１９および第２締結孔２０を高さ方向に並べて設けてある。また、第２締結孔２０の下方には、適所に第３締結孔２１が設けてある。これら締結孔１９〜２１には埋め込みナットが埋設してあり、ボルト等の締結具を用いて、支持金具３０および連結部材４０を締結することができる。
【００２７】
また、コンクリートブロック１０の背面には、後述する敷き均し高さに相当する箇所にフック２２が埋設されている。このフック２２には、後述するようにアンカー１０５の基端部を引っ掛けることができる。
【００２８】
なお、図５および図６は、厚さの異なる二種類のコンクリートブロックの構成例を示している。
【００２９】
支持金具３０は、断面Ｌ字状に形成してあり、その屈曲した内側部分には支持面３１と案内面３２とが形成されている。
支持面３１は、コンクリートブロック１０を積み重ねたときに、上段側のコンクリートブロック１０の背面を支持する面である。案内面３２は、コンクリートブロック１０を積み重ねる際に、上段側のコンクリートブロック１０の側面に接して、同コンクリートブロック１０を案内する機能を有している。
【００３０】
また、支持金具３０の基端部には、第１連結孔３３および第２連結孔３４が高さ方向に並べて設けられるとともに、その先端部には、高さ方向に延びる長孔状の第３連結孔３５が設けてある。
【００３１】
図２に示すように、一対の支持金具３０，３０は、それぞれ第２連結孔３４がボルト等の締結具を介してコンクリートブロック１０の第２締結孔２０，２０に締結され、これによりコンクリートブロック１０の背面両側部に装着される。このとき、支持金具３０の第１連結孔３３は、コンクリートブロック１０の第１締結孔１９と対応する位置に配置される。また、図７に示すように、支持金具３０，３０は、コンクリートブロック１０の側面に形成した凹部１７，１８に側片部分を配置することで、凹部１７，１８内に厚みが吸収される。
【００３２】
また、この装着状態では、支持金具３０の中間部から先端にかけての部分が、コンクリートブロック１０の上面両側部から上方に延出している。ここで、コンクリートブロック１０の上端から支持金具３０に形成した第３連結孔３５までの長さは、コンクリートブロック１０の下端から第３締結孔２１までの長さに対応させてある。
【００３３】
さらに、一対の支持金具３０，３０に形成された案内面３２の間隔は、コンクリートブロック１０の幅とほぼ同じ寸法となる。したがって、これら案内面３２，３２で上段側のコンクリートブロック１０の両側面を案内しながら、該コンクリートブロック１０を適正な積み重ね位置に案内することができる。
【００３４】
すなわち、コンクリートブロック１０を積み重ねるときには、まず図３に示すように、一対の支持金具３０，３０の案内面３２，３２の間に、上段側のコンクリートブロック１０を差し込む。そして、このコンクリートブロック１０の背面両側部を支持金具３０の支持面３１に摺接させるとともに、同コンクリートブロック１０の両側面を支持金具３０の案内面３２に摺接させ、同コンクリートブロック１０を適正位置へ支持しながら案内していく。
【００３５】
このように積み重ねられた上段側のコンクリートブロック１０は、下面に形成した段差部１２が、下段側のコンクリートブロック１０の上面に形成した段差部１１と噛み合うので、各コンクリートブロック１０の相互間の位置合わせを容易に行うことができる。
【００３６】
また上述したように、コンクリートブロック１０の上端から支持金具３０に形成した第３連結孔３５までの長さを、コンクリートブロック１０の下端から第３締結孔２１までの長さに対応させてあるので、下段側のコンクリートブロック１０から延出する支持金具３０の第３連結孔３５は、上段側のコンクリートブロック１０に形成した第３締結孔２１に対応する位置に配置される。そして、これら第３連結孔３５と第３締結孔２１とをボルト等の締結具を介して締結することで、上下段のコンクリートブロック１０が相互に連結され、強固な施設状態を形成することができる（図３参照）。
【００３７】
なお、支持金具３０の第３連結孔３５は、高さ方向に延びる長孔状に形成したので、例えば、積み重ねられるコンクリートブロック１０の高さ位置が僅かにずれる場合にあっても、支持金具３０の第３連結孔３５とコンクリートブロック１０の第３締結孔２１との位置合わせを容易に行うことができる。
【００３８】
さらに、この状態では、上段側のコンクリートブロック１０の背面１０ａが支持金具３０の支持面３１によって支持されるので、サポート部品を用いなくとも積み重ねたコンクリートブロック１０の倒壊や位置ずれを防止することができる。したがって、サポート部品の施設作業が省略されるので、施工性が向上する。
【００３９】
連結金具４０は、図４に示すように、平板状に形成してあり、この連結金具４０には、第１ボルト差込孔４１および第２ボルト差込孔４２が延長方向に並べて設けてある。
この連結金具４０は、延長方向に隣接するコンクリートブロック１０を連結するためのもので、第１ボルト差込孔４１を支持金具３０の第１連結孔３３（および第１締結孔１９）に合わせてボルト等の締結具を介して締結するとともに、第２ボルト差込孔４２を延長方向に隣接するコンクリートブロック１０に装着した支持金具３０の第３連結孔３５に合わせてボルト等の締結具を介して締結することにより、延長方向に隣接するコンクリートブロック１０の相互間も連結することができ、一層強固な施設状態を形成することができる。
【００４０】
この連結金具４０の第２ボルト差込孔４２と支持金具３０の第３連結孔３５との連結は、上述した支持金具３０の第３連結孔３５とコンクリートブロック１０の第３締結孔２１との締結に際して同時に行えば、コンクリートブロック１０の連結作業を簡略化することができる。
【００４１】
また、このように支持金具３０の第１連結孔３３と延長方向に隣接するコンクリートブロック１０に装着された支持金具３０の第３連結孔３５とを連結することとすれば、延長方向に隣接するコンクリートブロック１０の高さ位置をずらして配設することができる。
【００４２】
さらに、支持金具３０，３０はコンクリートブロック１０の側面に形成した凹部１７，１８に側片部分を配置してあるので、この凹部１７，１８に支持金具３０，３０の厚みが吸収される。したがって、コンクリートブロック１０を延長方向に並べて配置したときにも、隣接する各コンクリートブロック１０の相互間に隙間が生じることがなくなる（図７参照）。
【００４３】
なお、コンクリートブロック１０を延長方向に連結したとき、隣接するコンクリートブロック１０相互間の接合部分（側面）は、シール材１５，１６によりシールされる。
【００４４】
〈コンクリート構造物に関する実施形態（以下、実施形態２とする）〉
図８は本実施形態２のコンクリート構造物、すなわち河川に構築される砂防ダムを示す正面図、図９は同砂防ダムの内部構造を示す側面断面図である。
これらの図に示すように、砂防ダム１００は、内部コンクリート１０１および外壁１０２等から構成されており、外壁１０２は、上述した実施形態１の外壁ユニット１を積み重ねて構築されている。
この外壁１０２は、地面から一定の高さ（図示１０２ａの高さ位置）までは勾配を設けて構築してあり、更にその上部は地面とほぼ垂直に立ち上がるように勾配を変化させている。そして、地面から一定の高さまでの外壁１０２を構成する外壁ユニット１は、コンクリートブロック１０を、例えば１ｍ程度の高さに設定してある。
【００４５】
また、コンクリートブロック１０の背面に埋設される各フック２２（図１参照）は、例えば、コンクリートブロック１０の下端からの２５ｃｍおよび７５ｃｍ程度の高さ位置に埋設してある。なお、上流側に設けられる外壁１０２には、図５に示すような厚みのあるコンクリートブロック１０を用いており、これにより土石流の衝突等に対する耐衝撃性を向上させている。一方、土石流等が直接衝突することのない下流側の外壁１０２は、図６に示すような薄いコンクリートブロック１０を用いることができる。
【００４６】
内部コンクリート１０１は、骨材にクラッシャランを用いたコンクリートで構成されている。
この骨材に用いられるクラッシャランは、既述したように、道路舗装の下層路盤に使用される粒状路盤材であり、ＪＩＳ  Ａ  ５００１において品質規格されている道路用砕石である。すなわち、クラッシャランは、日本工業規格（ＪＩＳ）に適合するように粒度調節され、一定の品質を有している。
【００４７】
したがって、クラッシャランは、現地発生材に比べて均一性が高く、安価で汎用性があるため、施工現場がどこであっても一定の品質のものを近隣から容易に入手でき、標準的な品質管理基準や施工要領等を作成することができるとともに、煩雑でコストのかかる試験調査等を簡略化することができる。なお、この発明において、クラッシャランにはいわゆる再生クラッシャランも含まれる。
【００４８】
次に、図１０乃至図１６に基づいて砂防ダム１００の施工方法について説明する。
まず、図１０に示すように、基礎１０３の延長方向に外壁ユニット１を配設して、外壁１０２の最下段を形成していく。このとき、相互に隣接するコンクリートブロック１０の高さ位置をずらせて千鳥状に配置する。例えば、１ｍ程度の高さのコンクリートブロック１０と、５０ｃｍ程度の高さのコンクリートブロック１０とを、延長方向に交互に配置していく。なお、図１１に示すように、最下段に配置した外壁ユニット１は、支持部材１０４によって傾斜姿勢を保持しておく。
【００４９】
次いで、図１２（ａ）に示すように、施工現場に仮設された混合ヤード２００内で、クラッシャラン、セメントおよび水等をバックホウ２０１によって練り混ぜて、コンクリートを生成し、このコンクリートをダンプトラック２０２により搬送し、外壁１０２内に投入する（図１２（b）参照）。そして、この投入したコンクリートの敷き均しを行う。
敷き均し工程では、図１３（ａ）に示すように、例えば、敷き均し厚さを２５ｃｍ程度として、コンクリートブロック１０の背面下部に埋設されたフック２２の近傍にコンクリート層１０１ａの上面がくるように敷き均しを行う。
【００５０】
このように第１層目のコンクリート層１０１ａの敷き均しが終了した後、図１４に示すように、棒状のアンカー１０５をコンクリート層１０１ａの上面に延在するように配置する。そして、棒状のアンカー１０５の基端部をコンクリートブロック１０のフック２２に回動自在に取り付ける。図には示されていないが、アンカー１０５の基端部は、コンクリートブロック１０のフック２２に回動自在に取り付けるためにフック形状としてあり、その先端部は、外側への引抜き抵抗を増加させるために屈曲させてある。
【００５１】
続いて、このコンクリート層１０１ａの上面に、さらに、コンクリートを投入して、第２層目の敷き均し工程を行う。この第２層目についても、敷き均し厚さを２５ｃｍ程度として、第１層目および第２層目を合わせた層厚さを５０ｃｍ程度とし、この第２層目の上面が外壁１０２上面の凹部近傍にくるようにする（図１３（ｂ））。
アンカー１０５は、コンクリート層１０１ａの第１層目と第２層目の間に埋設される。このアンカーを介して、、コンクリートブロック１０とコンクリート層１０１ａとが連結されるので、外壁１０２と内部コンクリート１０１とが一体化する。
【００５２】
第２層目の敷き均しが終了した後、図１２（ｃ）に示すように転圧工程を行う。
転圧工程では、例えば、１ｔ級、３ｔ級または６ｔ級の振動ローラ２０３の自重による圧密と、振動による骨材間摩擦の減少およびモルタルの流動作用により、内部コンクリート層１０１ａを締め固める。
【００５３】
ここで、本実施形態に用いた外壁ユニット１のコンクリートブロック１０は、背面１０ａが平坦面に形成してあるので（図１参照）、コンクリートブロック１０の背面近くまで振動ローラ２０３を走らせることができ、均一でむらのない転圧作業を実現することができる。
【００５４】
また、転圧工程の際には、コンクリート層１０１ａが締め固められて沈下し、この沈下にともないコンクリート層１０１ａ内のアンカー１０５も沈下するが、本実施形態にあっては、アンカー１０５の基端部はコンクリートブロック１０の背面に埋設したフック２２に回動自在に取り付けあるので、このようにアンカー１０５が沈下してもコンクリートブロック１０が内側に引っ張られることが少なく、コンクリートブロック１０が内側に倒壊するなどの不具合も防止することができる。
【００５５】
この転圧工程が終了した後は、高さの低いコンクリートブロック１０の上面に、さらにコンクリートブロックを積み重ね、再び上述した手順でコンクリート層１０１ａを形成し、一定の高さまで砂防ダム１００を構築する。
【００５６】
本実施形態にあっては、延長方向に隣接するコンクリートブロック１０の高さ位置をずらして千鳥状に配設したので、高さ方向に組み積みされるコンクリートブロック１０の相互間の接合部分は延長方向に不連続となって、土石流等の衝突に伴い外壁１０２が受ける横方向の荷重に対する剪断抵抗が大きくなり、砂防ダム１００の強度を向上させることができる。
【００５７】
さて、本実施の形態では、砂防ダム１００の勾配を変化させる部位（図８，９の１０２ａ）に、図１５に示す二種類の外壁ユニット２１０，２２０を用いている。なお、図１５に示す外壁ユニット２１０，２２０において、図１，図２に示した外壁ユニット１と共通の構成部分には同一の符号を付してある。
これら外壁ユニット２１０，２２０は、コンクリートブロック２１１，２２１に屈曲部２１１ａ，２２１ａが形成してあり、図１６に示すように、千鳥状に組み積みされた外壁ユニット１の上段に、これら外壁ユニット２１０，２２０を交互に並べて組み積みすることで、各屈曲部２１１ａ，２２１ａが延長方向に連続する構成となっている。この屈曲部２１１ａ，２２１ａは、砂防ダム１００の勾配を変化させる部位１０２ａに位置決めされ、これによって砂防ダム１００の上部が地面に対しほぼ垂直に立ち上がる。
【００５８】
このように、千鳥状の組み積み形態を保ちつつ、屈曲部２１１ａ，２１１ａにより砂防ダム１００の勾配を変化させているので、かかる部位においても横方向の荷重に対する大きな剪断抵抗を保持することができる。
【００５９】
次に、図１７乃至図１９を参照して、この発明の実施形態１に係る外壁ユニット１を用いたコンクリート構造物の他の構造物への適用例を説明する。
図１７に示すように、例えば、道路擁壁に用いられる重力擁壁２３０やもたれ式擁壁２４０の外壁２３１，２４１を実施形態１に係る外壁ユニット１を用いたコンクリート構造物で構築することで、これら擁壁２３０，２４０の施工性の向上を図ることができる。
【００６０】
また、外壁ユニット１を用いて堤防２５０の外壁２５１を構築することで、堤防２５０の施工性の向上が図られるとともに、従来の盛土により形成された堤防よりもその強度を大幅に向上させることができるので、河川の氾濫による堤防の決壊等を防止することができる（図１８参照）。
さらに、従来は盛土により構築されていた橋台２６０の周辺構造を、外壁ユニット１により外壁２７１を構成したコンクリート構造物２７０により構築することで、車両の通過等による地盤沈下が防止され、安定した施工状態を保持することができる（図１９参照）。
【００６１】
なお、本発明は上述した実施形態に限定されるものではない。例えば、コンクリート構造物を構成する内部コンクリートは、クラッシャランを骨材に用いたコンクリートに限らず、現地発生材等を骨材に用いた一般的なコンクリートにより構築してもよいことは勿論である。
【００６２】
【発明の効果】
以上説明したように、本発明の外壁ユニットは、コンクリートブロックに備えた支持金具により、その上段に積み重ねられるコンクリートブロックを支持することとしたので、サポート部品を用いずにコンクリートブロックの積み重ね作業を迅速に行うことができ、施工性の向上を図ることができる。
【００６３】
また、本発明のコンクリート構造物およびコンクリート構造物の施工方法は、上記外壁ユニットにより外壁を構成したので、特に外壁の構築作業が容易となり、施工性の向上を図ることができる。
【図面の簡単な説明】
【図１】この発明の実施形態１に係る外壁ユニットの構成を示す分解斜視図である。
【図２】同じく外壁ユニットを組み立てた状態を示す斜視図である。
【図３】同じく外壁ユニットを積み重ねた状態を示す斜視図である。
【図４】同じく外壁ユニットを延長方向に連結した状態を示す斜視図である。
【図５】コンクリートブロックの構成例を示す図で、（ａ）は平面図、（ｂ）は正面図、（ｃ）は側面図、（ｄ）は背面図である。
【図６】他のコンクリートブロックの構成例を示す図で、（ａ）は平面図、（ｂ）は正面図、（ｃ）は側面図、（ｄ）は背面図である。
【図７】延長方向に隣接する外壁ユニットの接合部分を示す拡大図である。
【図８】この発明の実施形態２に係る砂防ダムの正面図である。
【図９】同じく砂防ダムの側面図である。
【図１０】同じく砂防ダムの外壁施工方法を説明するための背面図である。
【図１１】外壁の最下段を構成するコンクリートブロックの支持構造を説明するための側面図である。
【図１２】砂防ダムの施工方法を説明するための図であり、（ａ）は練り混ぜ工程を示し、（ｂ）は投入工程を示し、（ｃ）は敷き均し転圧工程を示す。
【図１３】砂防ダムの施工方法を説明するための図１０に続く背面図である。
【図１４】砂防ダムの施工方法を説明するための図１３に続く側面図である。
【図１５】砂防ダムの勾配変更部分に用いられる外壁ユニットの構成を示す斜視図である。
【図１６】砂防ダムの勾配変更部分の構成を示す正面図である。
【図１７】この発明の実施形態２に係るコンクリート構造物の他の適用例を示す図である。
【図１８】同じくコンクリート構造物の他の適用例を示す図である。
【図１９】同じくコンクリート構造物の他の適用例を示す図である。
【図２０】従来の砂防ダムの施工方法を説明するための図である。
【符号の説明】
１：外壁ユニット
１０：コンクリートブロック
１０ａ：背面
１１，１２：段差部
１３，１４：凹溝
１５，１６：シール材
１７，１８：凹部
１９：第１締結孔
２０：第２締結孔
２１：第３締結孔
２２：フック
３０：支持金具
３１：支持面
３２：案内面
３３：第１連結孔
３４：第２連結孔
３５：第３連結孔
４０：連結金具
４１：第１ボルト差込孔
４２：第２ボルト差込孔
１００：砂防ダム
１０１：内部コンクリート
１０１ａ：コンクリート層
１０２：外壁
１０３：基礎
１０４：支持部材
１０５：アンカー
２００：混合ヤード
２０１：バックホウ
２０２：ダンプトラック
２０３：振動ローラ
２１０：外壁ユニット
２１１：コンクリートブロック
２１１ａ：屈曲部
２２０：外壁ユニット
２２１：コンクリートブロック
２２１ａ：屈曲部
２３０：重力擁壁
２３１：外壁
２４０：もたれ式擁壁
２４１：外壁
２５０：堤防
２５１：外壁
２６０：橋台
２７０：コンクリート構造物
２７１：外壁
【図１】
0004412572.tif 000002
【図２】
0004412572.tif 000003
【図３】
0004412572.tif 000004
【図４】
0004412572.tif 000005
【図５】
0004412572.tif 000006
【図６】
0004412572.tif 000007
【図７】
0004412572.tif 000008
【図８】
0004412572.tif 000009
【図９】
0004412572.tif 000010
【図１０】
0004412572.tif 000011
【図１１】
0004412572.tif 000012
【図１２】
0004412572.tif 000013
【図１３】
0004412572.tif 000014
【図１４】
0004412572.tif 000015
【図１５】
0004412572.tif 000016
【図１６】
0004412572.tif 000017
【図１７】
0004412572.tif 000018
【図１８】
0004412572.tif 000019
【図１９】
0004412572.tif 000020
【図２０】
0004412572.tif 000021